(57)【要約】【課題】容易かつ正確にデジタル放送の番組の視聴率を測定することができる放送受信装置、視聴率測定システム、視聴率測定方法および視聴率測定プログラムを提供する。【解決手段】放送局１０から送信所２０を通じてワンセグメント放送の番組の放送信号が伝送される。そして、携帯電話機３０により、受信された放送信号に含まれるＮＩＴから現在選局中の放送局を示す視聴情報が１分ごとに生成され、その視聴情報がサーバ６０に送信される。サーバ６０では、各携帯電話機３０から送信された複数の視聴情報が１分ごとに集計され、ワンセグメント放送の番組の視聴率が算出される。【選択図】図１
2007311917.tif 000002
【特許請求の範囲】
【請求項１】
デジタル放送を受信可能な放送受信装置であって、
デジタル放送の放送信号を受信して選局する選局部と、
前記選局部により選局された放送信号から放送局を特定可能な特定情報を抽出する抽出部と、
前記抽出部により抽出された特定情報に基づいて選局された放送局を特定し、特定された放送局を示す視聴情報を生成する生成部と、
前記生成部により生成された視聴情報を送信する送信部とを備えることを特徴とする放送受信装置。
【請求項２】
前記放送信号は、トランスポートストリームを含み、
前記抽出部は、トランスポートストリームに含まれるネットワーク情報テーブルから特定情報としてネットワーク識別子を抽出し、
前記生成部は、前記抽出部により抽出されたネットワーク識別子に基づいて視聴情報を生成することを特徴とする請求項１記載の放送受信装置。
【請求項３】
前記抽出部は、前記放送信号からネットワーク識別子を所定の時間間隔で抽出し、
前記生成部は、前記抽出部により抽出されるネットワーク識別子に基づいて所定の時間間隔で視聴情報を生成することを特徴とする請求項２記載の放送受信装置。
【請求項４】
前記送信部は、前記生成部により生成された視聴情報を所定の時間間隔で送信することを特徴とする請求項２または３記載の放送受信装置。
【請求項５】
前記デジタル放送はワンセグメント放送を含み、
前記選局部は、前記ワンセグメント放送の放送信号を受信することを特徴とする請求項１〜４のいずれかに記載の放送受信装置。
【請求項６】
前記選局部により選局された放送信号に基づいて番組を表示し、その番組の音声を出力する出力部をさらに備えることを特徴とする請求項１〜５のいずれかに記載の放送受信装置。
【請求項７】
前記送信部は、使用者の音声をさらに送信することを特徴とする請求項１〜６のいずれかに記載の放送受信装置。
【請求項８】
デジタル放送において用いられる視聴率測定システムであって、
デジタル放送の放送信号を送信する１または複数の放送送信装置と、
前記１または複数の放送送信装置から送信される放送信号を受信する１または複数の放送受信装置と、
前記１または複数の放送受信装置による番組の視聴率を算出する視聴率算出部とを備え、
前記１または複数の放送受信装置の各々は、
デジタル放送の放送信号を受信して選局する選局部と、
前記選局部により選局された放送信号から放送局を特定可能な特定情報を抽出する抽出部と、
前記抽出部により抽出された特定情報に基づいて選局された放送局を特定し、特定された放送局を示す視聴情報を生成する生成部と、
前記生成部により生成された視聴情報を前記視聴率算出部へ送信する送信部とを備え、
前記視聴率算出部は、前記１または複数の放送受信装置の各々により送信された視聴情報に基づいて前記１または複数の放送受信装置による番組の視聴率を算出することを特徴とする視聴率測定システム。
【請求項９】
前記１または複数の放送受信装置の各々は、携帯型移動端末であることを特徴とする請求項８記載の視聴率測定システム。
【請求項１０】
前記携帯型移動端末は、携帯電話機であることを特徴とする請求項９記載の視聴率測定システム。
【請求項１１】
デジタル放送の番組の視聴率を測定するための視聴率測定方法であって、
前記１または複数の放送受信装置の各々により、受信および選局されたデジタル放送の放送信号から放送局を特定可能な特定情報を抽出するステップと、
前記１または複数の放送受信装置の各々により、抽出された特定情報に基づいて選局された放送局を特定し、特定された放送局を示す視聴情報を生成するステップと、
前記１または複数の放送受信装置の各々により、生成された視聴情報を視聴率算出部へ送信するステップと、
前記１または複数の放送受信装置の各々により送信された視聴情報に基づいて、前記前記１または複数の放送受信装置による番組の視聴率を前記視聴率算出部により算出するステップとを備えることを特徴とする視聴率測定方法。
【請求項１２】
デジタル放送の番組の視聴率を測定するために処理装置により実行可能な視聴率測定プログラムであって、
受信および選局されたデジタル放送の放送信号から放送局を特定可能な特定情報を抽出する処理と、
抽出された特定情報に基づいて選局された放送局を特定し、特定された放送局を示す視聴情報を生成する処理と、
生成された視聴情報を番組の視聴率を算出する視聴率算出部へ送信する処理とを、前記処理装置に実行させることを特徴とする視聴率測定プログラム。
【発明の詳細な説明】
【技術分野】
【０００１】
本発明は、放送受信装置、視聴率測定システム、視聴率測定方法および視聴率測定プログラムに関する。
【背景技術】
【０００２】
従来より、テレビジョン放送の番組の視聴率を測定するために種々の方法が用いられている。例えば、テレビジョン受像機にピープルメータまたはオンラインメータ等の視聴率測定装置を取り付ける方法がある。
【０００３】
このような視聴率測定装置は、各調査対象世帯におけるテレビジョン受像機の視聴者により操作される。それにより、調査対象世帯における番組の視聴記録がインターネットを通じて所定のサーバに自動的に送信される。そして、サーバに蓄積された視聴記録から視聴率が集計される。テレビジョン受像機に設けられる視聴率測定装置の一例が、特許文献１に記載されている。
【０００４】
アナログ放送を用いた従来の放送システムにおいて、テレビジョン受像機は受信する電波に基づいて視聴者により選局された放送局を特定することができない。そのため、上記のような視聴率測定装置を用いて視聴率の測定が行われる。
【特許文献１】特開２００５−８６３０８号公報
【発明の開示】
【発明が解決しようとする課題】
【０００５】
ところで、携帯電話機等の携帯用小型コンピュータを備える携帯端末の開発に伴いワンセグメント放送（以下、ワンセグ放送と略記する）が注目されている。このワンセグ放送は、放送局ごとに割り当てられる６ＭＨｚの周波数帯域を構成する１３セグメントのうち１セグメントを用いた地上デジタル放送である。
【０００６】
現在、ワンセグ放送の番組の視聴率は測定されていないが、一般に、視聴率は放送事業者および番組のスポンサー等の番組提供者にとって非常に重要な指標である。したがって、番組提供者はワンセグ放送の番組の視聴率の測定を希望する。
【０００７】
しかしながら、ワンセグ放送を受信可能な携帯端末は、専ら移動通信手段として用いられるので、上述のように、ピープルメータまたはオンラインメータ等の視聴率測定装置を取り付けることは困難である。
【０００８】
本発明の目的は、容易かつ正確にデジタル放送の番組の視聴率を測定することができる放送受信装置、視聴率測定システム、視聴率測定方法および視聴率測定プログラムを提供することである。
【課題を解決するための手段】
【０００９】
（１）第１の発明に係る放送受信装置は、デジタル放送を受信可能な放送受信装置であって、デジタル放送の放送信号を受信して選局する選局部と、選局部により選局された放送信号から放送局を特定可能な特定情報を抽出する抽出部と、抽出部により抽出された特定情報に基づいて選局された放送局を特定し、特定された放送局を示す視聴情報を生成する生成部と、生成部により生成された視聴情報を送信する送信部とを備えるものである。
【００１０】
この放送受信装置においては、選局部によりデジタル放送の放送信号が選局される。そして、選局された放送信号から放送局を特定可能な特定情報が抽出部により抽出される。
【００１１】
特定された放送局を示す視聴情報が生成部により生成される。生成された視聴情報は送信部により送信される。この場合、送信される視聴情報を受信することにより、この放送受信装置で視聴される番組を容易に特定することができる。
【００１２】
したがって、デジタル放送を受信可能な１または複数の放送受信装置の各々から視聴情報を受信することにより、容易かつ正確にデジタル放送の番組の視聴率を得ることができる。
【００１３】
（２）放送信号は、トランスポートストリームを含み、抽出部は、トランスポートストリームに含まれるネットワーク情報テーブルから特定情報としてネットワーク識別子を抽出し、生成部は、抽出部により抽出されたネットワーク識別子に基づいて視聴情報を生成してもよい。
【００１４】
この場合、抽出部は、トランスポートストリームのネットワーク情報テーブルに含まれるネットワーク識別子を特定情報として抽出する。このように、トランスポートストリームに含まれるネットワーク識別子を用いることにより、視聴情報が容易に生成される。
【００１５】
（３）抽出部は、放送信号からネットワーク識別子を所定の時間間隔で抽出し、生成部は、抽出部により抽出されるネットワーク識別子に基づいて所定の時間間隔で視聴情報を生成してもよい。
【００１６】
この場合、ネットワーク識別子が放送信号から所定の時間間隔で抽出される。そして、抽出されたネットワーク識別子に基づいて視聴情報が所定の時間間隔で生成される。それにより、視聴情報が生成されるごとに、その視聴情報を送信部により送信することができる。
【００１７】
これにより、所定の時間間隔で送信される視聴情報を受信することにより、この放送受信装置で視聴される番組を所定の時間間隔で容易に特定することができる。したがって、所定の時間間隔でのデジタル放送の番組の視聴率を容易かつ正確に得ることが可能となる。
【００１８】
（４）送信部は、生成部により生成された視聴情報を所定の時間間隔で送信してもよい。この場合、所定の時間間隔で送信される視聴情報を受信することにより、この放送受信装置で視聴される番組を所定の時間間隔で容易に特定することができる。したがって、所定の時間間隔でのデジタル放送の番組の視聴率を容易かつ正確に得ることが可能となる。
【００１９】
（５）デジタル放送はワンセグメント放送を含み、選局部は、ワンセグメント放送の放送信号を受信してもよい。この場合、ワンセグメント放送の番組の視聴率を容易かつ正確に得ることができる。
【００２０】
（６）放送受信装置は、選局部により選局された放送信号に基づいて番組を表示し、その番組の音声を出力する出力部をさらに備えてもよい。この場合、使用者は、放送受信装置により所望の番組を視聴することができる。
【００２１】
（７）送信部は、使用者の音声をさらに送信してもよい。この場合、使用者は放送受信装置により電話をかけることができる。
【００２２】
（８）第２の発明に係る視聴率測定システムは、デジタル放送において用いられる視聴率測定システムであって、デジタル放送の放送信号を送信する１または複数の放送送信装置と、１または複数の放送送信装置から送信される放送信号を受信する１または複数の放送受信装置と、１または複数の放送受信装置による番組の視聴率を算出する視聴率算出部とを備え、１または複数の放送受信装置の各々は、デジタル放送の放送信号を受信して選局する選局部と、選局部により選局された放送信号から放送局を特定可能な特定情報を抽出する抽出部と、抽出部により抽出された特定情報に基づいて選局された放送局を特定し、特定された放送局を示す視聴情報を生成する生成部と、生成部により生成された視聴情報を視聴率算出部へ送信する送信部とを備え、視聴率算出部は、１または複数の放送受信装置の各々により送信された視聴情報に基づいて１または複数の放送受信装置による番組の視聴率を算出するものである。
【００２３】
この視聴率測定システムにおいては、デジタル放送の放送信号が１または複数の放送送信装置により送信され、送信される放送信号が１または複数の放送受信装置により受信される。
【００２４】
１または複数の放送受信装置の各々においては、選局部によりデジタル放送の放送信号が選局される。そして、選局された放送信号から放送局を特定可能な特定情報が抽出部により抽出される。特定された放送局を示す視聴情報が生成部により生成される。生成された視聴情報は送信部により視聴率算出部へ送信される。
【００２５】
これにより、視聴率算出部においては、１または複数の放送受信装置の各々から視聴情報を受信することにより、各放送受信装置で視聴される番組を容易に特定することができる。それにより、視聴率算出部は、１または複数の放送受信装置による番組の視聴率を容易かつ正確に算出することができる。その結果、容易かつ正確にデジタル放送の番組の視聴率を得ることができる。
【００２６】
（９）１または複数の放送受信装置の各々は、携帯型移動端末であってもよい。この場合、その携帯型移動端末による、デジタル放送の番組の視聴率を容易かつ正確に得ることができる。
【００２７】
（１０）携帯型移動端末は、携帯電話機であってもよい。この場合、携帯電話機によるデジタル放送の番組の視聴率を容易かつ正確に得ることができる。
【００２８】
（１１）第３の発明に係る視聴率測定方法は、デジタル放送の番組の視聴率を測定するための視聴率測定方法であって、１または複数の放送受信装置の各々により、受信および選局されたデジタル放送の放送信号から放送局を特定可能な特定情報を抽出するステップと、１または複数の放送受信装置の各々により、抽出された特定情報に基づいて選局された放送局を特定し、特定された放送局を示す視聴情報を生成するステップと、１または複数の放送受信装置の各々により、生成された視聴情報を視聴率算出部へ送信するステップと、１または複数の放送受信装置の各々により送信された視聴情報に基づいて、１または複数の放送受信装置による番組の視聴率を視聴率算出部により算出するステップとを備えるものである。
【００２９】
この視聴率測定方法においては、デジタル放送の放送信号が１または複数の放送受信装置の各々により受信および選局される。そして、受信および選局された放送信号から放送局を特定可能な特定情報が１または複数の放送受信装置の各々により抽出される。特定された放送局を示す視聴情報が１または複数の放送受信装置の各々により生成される。
【００３０】
生成された視聴情報は、１または複数の放送受信装置の各々により視聴率算出部へ送信される。これにより、視聴率算出部では、１または複数の放送受信装置の各々から視聴情報を受信することにより、１または複数の放送受信装置による視聴率を容易に算出することができる。その結果、容易かつ正確にデジタル放送の番組の視聴率を得ることができる。
【００３１】
（１２）第４の発明に係る視聴率測定プログラムは、デジタル放送の番組の視聴率を測定するために処理装置により実行可能な視聴率測定プログラムであって、受信および選局されたデジタル放送の放送信号から放送局を特定可能な特定情報を抽出する処理と、抽出された特定情報に基づいて選局された放送局を特定し、特定された放送局を示す視聴情報を生成する処理と、生成された視聴情報を番組の視聴率を算出する視聴率算出部へ送信する処理とを、処理装置に実行させるものである。
【００３２】
この視聴率測定プログラムによれば、受信および選局されたデジタル放送の放送信号から放送局を特定可能な特定情報が抽出される。そして、特定された放送局を示す視聴情報が生成される。生成された視聴情報が、視聴率算出部へ送信される。これにより、視聴率算出部では、デジタル放送を受信可能な１または複数の放送受信装置の各々から視聴情報を受信することにより、１または複数の放送受信装置による視聴率を容易に算出することができる。その結果、容易かつ正確にデジタル放送の番組の視聴率を得ることができる。
【発明の効果】
【００３３】
本発明によれば、デジタル放送を受信可能な１または複数の放送受信装置の各々から視聴情報を受信することにより、容易かつ正確にデジタル放送の番組の視聴率を得ることができる。
【発明を実施するための最良の形態】
【００３４】
本発明の一実施の形態に係る放送受信装置、視聴率測定システム、視聴率測定方法および視聴率測定プログラムについて図面を参照しつつ説明する。
【００３５】
以下では、視聴率測定システムとして地上デジタル放送を用いる視聴率測定システムを説明し、放送受信装置の一例として携帯電話機を説明する。
【００３６】
以下の説明において、ワンセグメント放送（以下、ワンセグ放送と略記する）とは、放送局ごとに割り当てられる６ＭＨｚの周波数帯域を構成する１３セグメントのうち１セグメントを用いた地上デジタル放送である。詳細は後述する。
【００３７】
（１）  視聴率測定システムの構成および動作の概略
図１は、本発明の一実施の形態に係る視聴率測定システムの構成を示す図である。図１に示すように、本実施の形態に係る視聴率測定システム１００は、放送局１０、送信所２０、複数の携帯電話機３０、基地局４０、通信網５０およびサーバ６０により構成される。なお、図１には、１つの携帯電話機３０のみが示される。
【００３８】
放送局１０は、例えば番組のコンテンツデータを符号化および変調することにより放送信号を生成し、その放送信号を送信所２０に伝送する。送信所２０は、放送局１０から伝送された放送信号を地上デジタル放送の電波として送信する。
【００３９】
携帯電話機３０は、送信所２０から送信される放送信号の電波を受信し、使用者により選局された放送局の番組を再生する。また、携帯電話機３０は、受信した放送信号から現在選局中の放送局を示す視聴情報を生成し、基地局４０および通信網５０を通じて１分ごとにサーバ６０に送信する。なお、通信網５０としては、例えばインターネットが用いられる。
【００４０】
サーバ６０は、例えばデータベースサーバであり、複数の携帯電話機３０から送信された視聴情報を１分ごとに蓄積する。これにより、サーバ６０は、蓄積された視聴情報に基づいて１分ごとにワンセグ放送の番組の視聴率を算出し、蓄積する。
【００４１】
なお、具体的には、サーバ６０は、例えば受信した複数の視聴情報に基づいて放送局ごとに番組を視聴している携帯電話機３０の総数（放送局別視聴機数）を算出するとともに、全ての放送局で番組を視聴している携帯電話機３０の総数（全放送局視聴機数）を算出する。そして、サーバ６０は、放送局ごとに放送局別視聴機数を全放送局視聴機数で除算することにより視聴率を算出する。
【００４２】
サーバ６０は、蓄積されたワンセグ放送の番組の視聴率を、通信網５０を通じて放送局１０へ送信する。それにより、放送局１０では、１分ごとに集計されたワンセグ放送の番組の正確な視聴率が得られる。なお、放送局１０が通信網５０を通じてサーバ６０にアクセスし、蓄積された視聴率を取得してもよい。このようにして、放送事業者および番組のスポンサー等の番組提供者は、ワンセグ放送の番組の視聴率を容易に得ることができる。
【００４３】
（２）  携帯電話機の構成および動作の詳細
本実施の形態に係る携帯電話機３０の構成および動作の詳細を説明する。図２は、本発明の一実施の形態に係る携帯電話機３０の構成を示すブロック図である。
【００４４】
図２に示すように、本実施の形態に係る携帯電話機３０は、デジタル放送受信アンテナ３０１、チューナ３０２、ＯＦＤＭ（直交波周波数分割多重： Orthogonal Frequency Division Multiplexing ）復調部３０３、ＴＳ（トランスポートストリーム）デコーダ３０４、ＡＶ（音声映像）デコーダ３０５、表示装置３０６、音声出力装置３０７、ＣＰＵ（中央演算処理装置）３１０、記憶部３１１、通信部３１２および携帯電話アンテナ３２０を含む。
【００４５】
図１の送信所２０から送信される放送信号の電波は、デジタル放送受信アンテナ３０１により受信される。
【００４６】
チューナ３０２は、デジタル放送受信アンテナ３０１により受信された放送信号の周波数を選択することによりワンセグ放送の選局を行う。この選局は、使用者が図示しない携帯電話機３０の操作部を操作することにより行われる。
【００４７】
ここで、地上デジタル放送の放送信号はＭＰＥＧ（ Motion Picture Experts Groupe ）−２の標準規格に従うＴＳにより構成されている。放送信号のＴＳには、映像データ、音声データおよび文字データをそれぞれ含むＴＳパケットが多重されるとともに、番組の構成情報等を示すＰＳＩ（番組特定情報： Program Specific Information ）を含むＴＳパケットが多重される。
【００４８】
ＰＳＩの１つとして、ＮＩＴ（ネットワーク情報テーブル： Network Information Table ）がある。このＮＩＴは、ＭＰＥＧ−２の標準規格において、伝送路に関する情報と放送される番組とを関連付けるために規定されている。
【００４９】
具体的には、ＮＩＴには、放送局ごとのチャンネル番号、放送局ごとに予め定められた周波数、および各放送局固有の識別情報（以下、ネットワークＩＤ（識別子）と呼ぶ）、伝送路における変調方式等が含まれる。
【００５０】
ＯＦＤＭ復調部３０３は、ワンセグ放送の放送信号を復調し、ＴＳを出力する。ＴＳデコーダ３０４は、ＰＩＤ（パケット識別子）に基づいてＴＳを復号することにより、映像データ、音声データおよび文字データを出力するとともに、ＮＩＴを分離する。
【００５１】
ＡＶデコーダ３０５は、ＴＳデコーダ３０４から出力される映像データ、音声データおよび文字データをデコードし、映像信号および文字信号を表示装置３０６に出力し、音声信号を音声出力装置３０７に出力する。
【００５２】
表示装置３０６は、例えば液晶ディスプレイにより構成される。また、音声出力装置３０７は、例えばスピーカにより構成される。これにより、表示装置３０６に映像および文字が表示され、音声出力装置３０７から音声が出力される。このようにして、ワンセグ放送の番組が携帯電話機３０により再生される。
【００５３】
また、ＴＳデコーダ３０４は分離したＮＩＴを１分ごとにＣＰＵ３１０に与える。ＣＰＵ３１０は、ＮＩＴから上述のネットワークＩＤを抽出する。そして、ＣＰＵ３１０は、抽出したネットワークＩＤに基づいて選局中の放送局を特定し、特定した放送局を示す視聴情報を通信部３１２および携帯電話アンテナ３２０から基地局４０および通信網５０を経由して図１のサーバ６０に送信する。
【００５４】
このようにして、図１のサーバ６０に携帯電話機３０からの視聴情報が１分ごとに送信される。なお、ＣＰＵ３１０は、視聴情報を記憶部３１１に記憶してもよい。
【００５５】
（３）  地上デジタル放送の放送信号の伝送
ここで、地上デジタル放送の放送信号の伝送について説明する。地上デジタル放送の放送信号は、ＯＦＤＭ方式で変調されている。ＯＦＤＭ方式では、情報を異なる周波数を有する多数の搬送波に分散させて伝送する。各搬送波は、ＱＰＳＫ（４位相偏移変調： Quadrature Phase Shift Keying ）、１６ＱＡＭ（１６値直交振幅変調： 16-positions Quadrature Amplitude Modulation ）、６４ＱＡＭ（６４値直交振幅変調： 64-positions Quadrature Amplitude Modulation ）、またはＤＱＰＳＫ（差動位相偏移変調： Differential Phase Shift Keying ）等の種々の方式で独立に変調される。
【００５６】
映像信号の伝送では、６ＭＨｚ幅の各周波数帯域が１３個のセグメントに分割される。１３個のセグメントは、最大３種類の異なった変調方式を有するセグメント群（以下、階層と呼ぶ）に分割することができる。例えば、１３個のセグメントが伝送誤りに強いＱＰＳＫ方式を用いた階層（以下、強階層と呼ぶ）と、６４ＱＡＭ等の他の変調方式を用いた階層とに分割される。ワンセグ放送には、強階層の１セグメントが用いられる。
【００５７】
（４）  視聴率測定プログラム
携帯電話機３０における上記の動作のうち、ＣＰＵ３１０の動作は視聴率測定プログラムに基づき行われる。この視聴率測定プログラムについて説明する。
【００５８】
図３は、本発明の一実施の形態に係る視聴率測定プログラムのフローチャートである。本視聴率測定プログラムに基づくＣＰＵ３１０の動作は、ワンセグ放送の番組の視聴が開始されることにより開始される。
【００５９】
図３に示すように、本実施の形態に係る視聴率測定プログラムにおいて、ＣＰＵ３１０は、図２のＴＳデコーダ３０４からＮＩＴが与えられたか否かを判別する（ステップＳ１１）。
【００６０】
ＣＰＵ３１０は、ＮＩＴが与えられない場合、同じ動作を繰り返す。一方、ＣＰＵ３１０は、ＮＩＴが与えられた場合、与えられたＮＩＴからネットワークＩＤを抽出する（ステップＳ１２）。そして、ＣＰＵ３１０は、抽出したネットワークＩＤに基づいて現在選局されている放送局を特定して視聴情報を生成する（ステップＳ１３）。さらに、ＣＰＵ３１０は、生成した視聴情報を図１のサーバ６０へ送信する（ステップＳ１４）。
【００６１】
その後、ＣＰＵ３１０は、ワンセグ放送の番組の視聴が終了したか否かを判別する（ステップＳ１５）。
【００６２】
ＣＰＵ３１０は、視聴が終了しない場合に上記ステップＳ１１〜Ｓ１５の動作を繰り返し、視聴が終了した場合に視聴率測定プログラムを終了する。なお、上記において、ワンセグ放送の視聴の開始および終了は、使用者が携帯電話機３０の図示しない操作部を操作することにより行われる。
【００６３】
（５）  効果
（５−ａ）
本実施の形態に係る視聴率測定システム１００によれば、容易かつ正確にワンセグ放送の番組の視聴率を得ることができる。
【００６４】
（５−ｂ）
ワンセグ放送の番組のコンテンツデータと同様に、ＮＩＴも、ワンセグ放送に用いられる強階層の１セグメントの放送信号に多重され、送信される。
【００６５】
これにより、携帯電話機３０は、ＮＩＴを受信することができない環境であれば、ワンセグ放送も受信することはできない。したがって、携帯電話機３０は、ＮＩＴを利用することにより確実にワンセグ放送の番組の視聴率を得ることが可能である。
【００６６】
（６）  変形例およびその効果
（６−ａ）
本実施の形態に係る携帯電話機３０において、図２の記憶部３１１には、携帯電話機３０の使用者の個人情報が記憶されてもよい。個人情報は、その使用者の年齢、性別、居住地および職業等を含む。
【００６７】
この場合、例えばＣＰＵ３１０は、視聴情報とともに、記憶部３１１に記憶された個人情報をサーバ６０に送信する。これにより、サーバ６０は、複数の携帯電話機３０によるワンセグ放送の番組の視聴率を蓄積するとともに、番組ごとの視聴者の個人情報を蓄積することができる。
【００６８】
それにより、サーバ６０は、視聴者のタイプごとにワンセグ放送の各番組の視聴率を算出し、蓄積することができる。例えば、サーバ６０は、一の番組について、年代別の視聴率を算出することもできるし、性別での視聴率を算出することもできる。
【００６９】
このように、放送事業者および番組のスポンサー等の番組提供者は、ワンセグ放送の番組の視聴率とともに、さらに詳細な視聴率に関する情報を容易に得ることができる。
【００７０】
（６−ｂ）
本実施の形態において、各携帯電話機３０は、１分ごとに視聴情報をサーバ６０へ送信するが、視聴情報のサーバ６０への送信のタイミングは１分ごとに限定されない。
【００７１】
例えば、携帯電話機３０は、３０秒ごとに視聴情報をサーバ６０に送信してもよいし、５分ごとに視聴情報をサーバ６０に送信してもよいし、１０分ごとに視聴情報をサーバ６０に送信してもよい。この場合、サーバ６０は、設定されたタイミングに応じた時間間隔でワンセグ放送の番組の視聴率を算出することができる。その結果、番組提供者はより詳細な視聴率を得ることが可能となる。
【００７２】
（６−ｃ）
本実施の形態では、放送受信装置の一例として携帯電話機３０を説明したが、これに限らず本発明に係る放送受信装置は、サーバ６０へ視聴情報を送信できる通信機能を有する機器であればよい。
【００７３】
放送受信装置としては、例えばインターネットに接続可能でかつデジタル放送受信機能を有する携帯型小型コンピュータおよび携帯型ＤＶＤ（デジタルバーサタイルディスク）プレーヤ等も用いることができる。
【００７４】
（６−ｄ）
本実施の形態においては、通信網５０としてインターネットを用いる旨を説明したが、通信網５０としては、無線網、公衆回線網または専用回線を用いてもよい。この場合、携帯電話機３０により生成される視聴情報が、無線網、公衆回線網または専用回線を通ってサーバ６０に送信される。
【００７５】
また、サーバ６０は、通信網５０に接続されなくても、携帯電話機３０から送信される視聴情報を受信できるのであれば、基地局４０に設けられてもよいし、放送局１０に設けられてもよい。
【００７６】
（７）  各構成要素の実現方法
本実施の形態においては、図２で示す携帯電話機３０の構成要素の一部がソフトウェアにより機能的に実現され、他の部分が電気回路等のハードウェアにより実現されてもよい。または、携帯電話機３０の構成要素の全てがハードウェアにより実現されてもよい。
【００７７】
（８）  請求項の各構成要素と実施の形態の各部との対応
以下、請求項の各構成要素と実施の形態の各部との対応の例について説明するが、本発明は下記の例に限定されない。
【００７８】
上記実施の形態においては、携帯電話機３０が放送受信装置に相当し、デジタル放送受信アンテナ３０１およびチューナ３０２が選局部に相当し、ＯＦＤＭ復調部３０３およびＴＳデコーダ３０４が抽出部に相当し、ＮＩＴに含まれるネットワークＩＤが特定情報に相当する。
【００７９】
また、ＣＰＵ３１０が生成部および処理装置に相当し、通信部３１２および携帯電話アンテナ３２０が送信部に相当し、放送局１０および送信所２０に設けられるデジタル放送の送信装置が放送送信装置に相当し、サーバ６０が視聴率算出部に相当し、表示装置３０６および音声出力装置３０７が出力部に相当する。
【産業上の利用可能性】
【００８０】
本発明は、番組の視聴率の測定に有効に利用できる。
【図面の簡単な説明】
【００８１】
【図１】本発明の一実施の形態に係る視聴率測定システムの構成を示す図
【図２】本発明の一実施の形態に係る携帯電話機の構成を示すブロック図
【図３】本発明の一実施の形態に係る視聴率測定プログラムのフローチャート
【符号の説明】
【００８２】
１０  放送局
２０  送信所
３０  携帯電話機
６０  サーバ
１００  視聴率測定システム
３０１  デジタル放送受信アンテナ
３０２  チューナ
３０３  ＯＦＤＭ復調部
３０４  ＴＳデコーダ
３０６  表示装置
３０７  音声出力装置
３１０  ＣＰＵ
３１２  通信部
３２０  携帯電話アンテナ
【図１】
2007311917.tif 000003
【図２】
2007311917.tif 000004
【図３】
2007311917.tif 000005